(57)【特許請求の範囲】
【請求項１】
利用者の睡眠状態を向上するための睡眠状態向上システム（１ａ）であって、
前記利用者に携帯されることが可能である記憶部材（７０）と、
第１の場所に配置され、前記利用者の体動、心拍及び呼吸の少なくとも１つに関する情報である生体情報を検知する第１検知部（１０ａ）と、
前記第１の場所に配置され、前記生体情報に基づいて、前記利用者の入眠と前記利用者の起床とを判断することにより、前記利用者の睡眠時間に関する情報である個人属性情報を特定する第１制御部（３２ａ）と、
前記第１制御部により特定された前記個人属性情報を前記記憶部材に書き込む第１書き込み部（６０ａ）と、
前記第１の場所と異なる第２の場所に配置され、前記個人属性情報を前記記憶部材から読み出す読み出し部（４０）と、
前記第２の場所に配置され、前記読み出し部が読み出した前記個人属性情報に基づいて、前記利用者の睡眠時の環境を制御する第２制御部（３２）と、
を備えた、
睡眠状態向上システム（１ａ）。
【請求項２】
利用者の睡眠状態を向上するための睡眠状態向上システム（１００ａ）であって、
前記利用者に携帯されることが可能であり、前記利用者を識別するための情報である識別情報を記憶する記憶部材（７０）と、
第１の場所に配置され、前記利用者の体動、心拍及び呼吸の少なくとも１つに関する情報である生体情報を検知する第１検知部（１０ａ）と、
前記第１の場所に配置され、前記生体情報に基づいて、前記利用者の入眠と前記利用者の起床とを判断することにより、前記利用者の睡眠時間に関する情報である個人属性情報を特定する第１制御部（３２ａ）と、
前記第１制御部により特定された前記個人属性情報と前記識別情報とを対応付けて記憶する管理装置（１８０）と、
前記第１の場所と異なる第２の場所に配置され、前記識別情報を前記記憶部材から読み出し、前記識別情報に対応する前記個人属性情報を前記管理装置から読み出す読み出し部（１４０）と、
前記第２の場所に配置され、前記読み出し部が読み出した前記個人属性情報に基づいて、前記利用者の睡眠時の環境を制御する第２制御部（３２）と、
を備えた、
睡眠状態向上システム（１００ａ）。
【請求項３】
前記読み出し部（１４０）は、前記識別情報をネットワーク（１９０）経由で前記管理装置（１８０）へ送信し、前記個人属性情報を前記ネットワーク（１９０）経由で前記管理装置（１８０）から受信する、
請求項２に記載の睡眠状態向上システム（１００ａ）。
【請求項４】
前記個人属性情報は、前記利用者の平均睡眠時間及び前記利用者の過去所定日数における睡眠時間の少なくとも１つを含む、
請求項１から３のいずれかに記載の睡眠状態向上システム（１ａ，１００ａ）。
【請求項５】
前記第２の場所に配置され、前記生体情報を検知する第２検知部（１０）、
をさらに備え、
前記第２制御部（３２）は、前記生体情報に基づいて、前記利用者の入眠を検知する、
請求項１から４のいずれかに記載の睡眠状態向上システム（１ａ，１００ａ）。
【請求項６】
前記第２制御部（３２）は、前記読み出し部（４０，１４０）が前記個人属性情報又は前記識別情報を読み出した際に、前記利用者が入眠したと推定する、
請求項１から５のいずれかに記載の睡眠状態向上システム（１ａ，１００ａ）。
【請求項７】
前記第２制御部（３２）は、前記読み出し部（１４０）が前記個人属性情報を前記ネットワーク（１９０）経由で受信した際に、前記利用者が入眠したと推定する、
請求項３に記載の睡眠状態向上システム（１００ａ）。
【請求項８】
前記環境は、前記利用者の周辺の温度であり、
前記第２制御部（３２）は、前記利用者の入眠から第１所定時間において徐々に温度を低下させ、前記利用者の起床までの第２所定時間において徐々に温度を上昇させる、
請求項５から７のいずれかに記載の睡眠状態向上システム（１ａ，１００ａ）。
【請求項９】
前記第２制御部（３２）は、空気調和機（５０）を制御することにより、前記利用者の睡眠時の環境を制御し、
前記環境は、空調環境であり、
前記空調環境は、前記空気調和機（５０）から吹き出される空調空気の温度、前記空気調和機（５０）から吹き出される空調空気の湿度、前記空気調和機（５０）から吹き出される空調空気の風向、前記空気調和機（５０）から吹き出される空調空気の風量、前記空気調和機（５０）から吹き出される空調空気の清浄度及び前記空気調和機（５０）が行う換気量の少なくとも１つである、
請求項１から８のいずれかに記載の睡眠状態向上システム（１ａ，１００ａ）。
【発明の詳細な説明】
【技術分野】
【０００１】
本発明は、睡眠状態向上システムに関する。
【背景技術】
【０００２】
従来から、利用者の睡眠段階を推定してエアコンなどを制御するシステムが提案されている（特許文献１参照）。
【特許文献１】特開２００３−３３９６７４（第１−１１頁、第１−１９図）
【発明の開示】
【発明が解決しようとする課題】
【０００３】
しかし、従来の技術では、利用者の外出時において利用者の睡眠状態を向上することが困難である傾向がある。すなわち、従来の技術では、利用者の睡眠状態を向上するために、睡眠段階を推定するための装置が必要であるが、睡眠段階を推定するための装置は、大きさや重さなどの点で持ち運びしにくいことがある。このため、利用者が外出時において睡眠段階を推定するための装置を利用することができないことがあり、利用者の外出時において利用者の睡眠状態を向上することが困難である傾向がある。
【０００４】
そこで、本発明の課題は、利用者の外出時においても利用者の睡眠状態を向上することができる睡眠状態向上システムを提供することにある。
【課題を解決するための手段】
【０００５】
第１発明に係る睡眠状態向上システムは、利用者の睡眠状態を向上するための睡眠状態向上システムであって、記憶部材と、第１検知部と、第１制御部と、第１書き込み部と、読み出し部と、第２制御部とを備える。記憶部材は、利用者に携帯されることが可能である。第１検知部は、第１の場所に配置され、利用者の体動、心拍及び呼吸の少なくとも１つに関する情報である生体情報を検知する。第１制御部は、第１の場所に配置され、生体情報に基づいて、利用者の入眠と利用者の起床とを判断することにより、利用者の睡眠時間に関する情報である個人属性情報を特定する。第１書き込み部は、第１制御部により特定された個人属性情報を記憶部材に書き込む。読み出し部は、第１の場所と異なる第２の場所に配置され、個人属性情報を記憶部材から読み出す。第２制御部は、第２の場所に配置され、読み出し部が読み出した個人属性情報に基づいて、利用者の睡眠時の環境を制御する。
【０００６】
第２発明に係る睡眠状態向上システムは、利用者の睡眠状態を向上するための睡眠状態向上システムであって、記憶部材と、第１検知部と、第１制御部と、管理装置と、読み出し部と、第２制御部とを備える。記憶部材は、利用者に携帯されることが可能であり、利用者を識別するための情報である識別情報を記憶する。第１検知部は、第１の場所に配置され、利用者の体動、心拍及び呼吸の少なくとも１つに関する情報である生体情報を検知する。第１制御部は、第１の場所に配置され、生体情報に基づいて、利用者の入眠と利用者の起床とを判断することにより、利用者の睡眠時間に関する情報である個人属性情報を特定する。管理装置は、第１制御部により特定された個人属性情報と識別情報とを対応付けて記憶する。読み出し部は、第１の場所と異なる第２の場所に配置され、識別情報を記憶部材から読み出し、識別情報に対応する個人属性情報を管理装置から読み出す。第２制御部は、第２の場所に配置され、読み出し部が読み出した個人属性情報に基づいて、利用者の睡眠時の環境を制御する。
【０００７】
第３発明に係る睡眠状態向上システムは、第２発明に係る睡眠状態向上システムであって、読み出し部は、識別情報をネットワーク経由で管理装置へ送信し、個人属性情報をネットワーク経由で管理装置から受信する。
【０００８】
第４発明に係る睡眠状態向上システムは、第１発明から第３発明のいずれかに係る睡眠状態向上システムであって、個人属性情報は、利用者の平均睡眠時間及び利用者の過去所定日数における睡眠時間の少なくとも１つを含む。
【０００９】
第５発明に係る睡眠状態向上システムは、第１発明から第４発明のいずれかに係る睡眠状態向上システムであって、第２検知部をさらに備える。第２検知部は、第２の場所に配置され、生体情報を検知する。第２制御部は、生体情報に基づいて、利用者の入眠を検知する。
【００１０】
第６発明に係る睡眠状態向上システムは、第１発明から第５発明のいずれかに係る睡眠状態向上システムであって、第２制御部は、読み出し部が個人属性情報又は識別情報を読み出した際に、利用者が入眠したと推定する。
【００１１】
第７発明に係る睡眠状態向上システムは、第３発明に係る睡眠状態向上システムであって、第２制御部は、読み出し部が個人属性情報をネットワーク経由で受信した際に、利用者が入眠したと推定する。
【００１２】
第８発明に係る睡眠状態向上システムは、第５発明から第７発明のいずれかに係る睡眠状態向上システムであって、環境は、利用者の周辺の温度である。第２制御部は、利用者の入眠から第１所定時間において徐々に温度を低下させ、利用者の起床までの第２所定時間において徐々に温度を上昇させる。
【００１３】
第９発明に係る睡眠状態向上システムは、第１発明から第８発明のいずれかに係る睡眠状態向上システムであって、第２制御部は、空気調和機を制御することにより、利用者の睡眠時の環境を制御する。環境は、空調環境である。空調環境は、空気調和機から吹き出される空調空気の温度、空気調和機から吹き出される空調空気の湿度、空気調和機から吹き出される空調空気の風向、空気調和機から吹き出される空調空気の風量、空気調和機から吹き出される空調空気の清浄度及び空気調和機が行う換気量の少なくとも１つである。
【００１４】
本発明に関連する第１態様に係る睡眠状態向上システムは、利用者の睡眠状態を向上するための睡眠状態向上システムであって、記憶部材と特定部と制御部とを備える。記憶部材は、利用者に携帯されることが可能である。特定部は、個人情報に基づいて、利用者の個人属性情報を特定する。個人情報は、記憶部材に記憶された情報である。制御部は、個人属性情報に基づいて、利用者の睡眠時の環境を制御する。
【００１５】
この睡眠状態向上システムでは、記憶部材が、利用者に携帯されることが可能である。個人情報が記憶部材から読み出され得る。特定部が、個人情報を受け取ることができる。特定部が、個人情報に基づいて、利用者の個人属性情報を特定する。制御部が、個人属性情報を受け取ることができる。制御部が、個人属性情報に基づいて、利用者の睡眠時の環境を制御する。
【００１６】
したがって、個人情報に基づいて利用者の個人属性情報を特定するので、利用者の外出時においても利用者の個人属性情報を特定することができる。また、個人属性情報に基づいて利用者の睡眠時の環境を制御するので、利用者の個人差に応じて睡眠時の環境を制御することができる。このため、利用者の外出時においても利用者の睡眠状態を向上することができる。
【００１７】
本発明に関連する第２態様に係る睡眠状態向上システムは、第１態様の睡眠状態向上システムであって、読出装置をさらに備える。読出装置は、個人情報を記憶部材から読み出す。
【００１８】
この睡眠状態向上システムでは、記憶部材が、利用者に携帯されることが可能である。読出装置が、個人情報を記憶部材から読み出す。特定部が、個人情報を受け取ることができる。特定部が、個人情報に基づいて、利用者の個人属性情報を特定する。制御部が、個人属性情報を受け取ることができる。制御部が、個人属性情報に基づいて、利用者の睡眠時の環境を制御する。
【００１９】
したがって、個人情報に基づいて利用者の個人属性情報を特定するので、利用者の外出時においても利用者の個人属性情報を特定することができる。また、個人属性情報に基づいて利用者の睡眠時の環境を制御するので、利用者の個人差に応じて睡眠時の環境を制御することができる。このため、利用者の外出時においても利用者の睡眠状態を向上することができる。
【００２０】
本発明に関連する第３態様に係る睡眠状態向上システムは、第１態様又は第２態様の睡眠状態向上システムであって、個人情報は、利用者の個人属性情報を含む。
【００２１】
この睡眠状態向上システムでは、記憶部材が、利用者に携帯されることが可能である。個人情報が記憶部材から読み出され得る。個人情報が、利用者の個人属性情報を含む。特定部が、個人情報を受け取ることができる。特定部が、個人情報に基づいて、利用者の個人属性情報を特定する。制御部が、個人属性情報を受け取ることができる。制御部が、個人属性情報に基づいて、利用者の睡眠時の環境を制御する。
【００２２】
したがって、個人情報が利用者の個人属性情報を含むので、個人属性情報を記憶部材から読み出して、個人属性情報に基づいて利用者の睡眠時の環境が制御されるようにすることができる。
【００２３】
本発明に関連する第４態様に係る睡眠状態向上システムは、第１態様の睡眠状態向上システムであって、読出装置と管理装置とをさらに備える。読出装置は、個人情報を記憶部材から読み出す。管理装置は、個人属性情報を利用者毎に記憶する。個人情報は、識別情報を含む。識別情報は、利用者を識別するための情報である。読出装置は、識別情報をネットワーク経由で管理装置へ送信する。管理装置は、利用者の個人属性情報をネットワーク経由で読出装置へ送信する。
【００２４】
この睡眠状態向上システムでは、記憶部材が、利用者に携帯されることが可能である。読出装置が、個人情報を記憶部材から読み出す。個人情報が、識別情報を含む。個人情報に基づいて、識別情報が特定され得る。読出装置が、識別情報をネットワーク経由で管理装置へ送信する。管理装置が、識別情報をネットワーク経由で読出装置から受信することができる。特定部が、個人情報を受け取ることができる。管理装置が、個人属性情報を利用者毎に記憶する。特定部が、管理装置に記憶された個人属性情報を参照することができる。特定部が、識別情報に基づいて、利用者の個人属性情報を特定する。管理装置が、利用者の個人属性情報をネットワーク経由で読出装置へ送信する。読出装置が、利用者の個人属性情報をネットワーク経由で管理装置から受信することができる。制御部が、利用者の個人属性情報を読出装置から受け取ることができる。制御部が、個人属性情報に基づいて、利用者の睡眠時の環境を制御する。
【００２５】
したがって、個人属性情報を管理装置側で記憶しているので、記憶部材における記憶容量を節約することができる。また、個人属性情報を管理装置側で記憶しているので、個人属性情報を利用者の側で管理する負担を低減することができる。
【００２６】
本発明に関連する第５態様に係る睡眠状態向上システムは、第１態様から第４態様のいずれかの睡眠状態向上システムであって、入力部をさらに備える。入力部には、個人属性情報が入力される。
【００２７】
この睡眠状態向上システムでは、記憶部材が、利用者に携帯されることが可能である。入力部に、個人属性情報が入力される。個人属性情報が記憶部材又は別の装置に記憶され得る。個人情報が記憶部材から読み出され得る。特定部が、個人情報を受け取ることができる。特定部が、個人情報に基づいて、利用者の個人属性情報を特定する。制御部が、個人属性情報を受け取ることができる。制御部が、個人属性情報に基づいて、利用者の睡眠時の環境を制御する。
【００２８】
したがって、個人属性情報が入力されるので、利用者の個人属性情報を記憶して個人情報に基づいて利用者の個人属性情報が特定されるようにすることができる。
【００２９】
本発明に関連する第６態様に係る睡眠状態向上システムは、第５態様の睡眠状態向上システムであって、個人属性情報は、利用者の年齢、利用者の性別、利用者の肥満度、利用者の健康状態及び利用者の人種の少なくとも１つを含む。
【００３０】
この睡眠状態向上システムでは、記憶部材が、利用者に携帯されることが可能である。入力部に、個人属性情報が入力される。個人属性情報が、利用者の年齢、利用者の性別、利用者の肥満度、利用者の健康状態及び利用者の人種の少なくとも１つを含む。個人属性情報が記憶され得る。個人情報が記憶部材から読み出され得る。特定部が、個人情報を受け取ることができる。特定部が、個人情報に基づいて、利用者の個人属性情報を特定する。制御部が、個人属性情報を受け取ることができる。制御部が、個人属性情報に基づいて、利用者の睡眠時の環境を制御する。
【００３１】
したがって、個人属性情報を静的な情報とすることができるので、利用者の静的な情報に応じて睡眠時の環境を制御することができる。
【００３２】
本発明に関連する第７態様に係る睡眠状態向上システムは、第１態様から第６態様のいずれかの睡眠状態向上システムであって、検知部をさらに備える。検知部は、生体情報に基づいて、利用者の入眠を検知する。生体情報は、利用者の体動、心拍及び呼吸の少なくとも１つに関する情報である。
【００３３】
この睡眠状態向上システムでは、記憶部材が、利用者に携帯されることが可能である。個人情報が記憶部材から読み出され得る。特定部が、個人情報を受け取ることができる。特定部が、個人情報に基づいて、利用者の個人属性情報を特定する。制御部が、個人属性情報を受け取ることができる。検知部が、生体情報に基づいて、利用者の入眠を検知する。制御部が、利用者の入眠の情報を受け取ることができる。制御部が、個人属性情報に基づいて、利用者の睡眠時の環境を制御する。
【００３４】
したがって、生体情報に基づいて利用者の入眠を検知するので、利用者の睡眠時の環境を制御しはじめるタイミングを決めることができる。
【００３５】
本発明に関連する第８態様に係る睡眠状態向上システムは、第７態様の睡眠状態向上システムであって、検知部をさらに備える。検知部は、生体情報に基づいて、個人属性情報をさらに検知する。
【００３６】
この睡眠状態向上システムでは、記憶部材が、利用者に携帯されることが可能である。検知部が、生体情報に基づいて、利用者の入眠を検知する。検知部は、生体情報に基づいて、個人属性情報をさらに検知する。個人属性情報が記憶部材又は別の装置に記憶され得る。個人情報が記憶部材から読み出され得る。特定部が、個人情報を受け取ることができる。特定部が、個人情報に基づいて、利用者の個人属性情報を特定する。制御部が、個人属性情報を受け取ることができる。検知部が、生体情報に基づいて、利用者の入眠を検知する。制御部が、利用者の入眠の情報を受け取ることができる。制御部が、個人属性情報に基づいて、利用者の睡眠時の環境を制御する。
【００３７】
したがって、個人属性情報を検知するので、利用者の個人属性情報を記憶して個人情報に基づいて利用者の個人属性情報が特定されるようにすることができる。
【００３８】
本発明に関連する第９態様に係る睡眠状態向上システムは、第８態様の睡眠状態向上システムであって、検知部は、生体情報に基づいて、利用者の入眠と利用者の起床とを検知することにより、個人属性情報を検知する。個人属性情報は、利用者の平均睡眠時間及び利用者の過去所定日数における睡眠時間の少なくとも一方を含む。
【００３９】
この睡眠状態向上システムでは、記憶部材が、利用者に携帯されることが可能である。個人情報が記憶部材から読み出され得る。特定部が、個人情報を受け取ることができる。検知部が、生体情報に基づいて、個人属性情報を検知する。検知部が、生体情報に基づいて、利用者の入眠と利用者の起床とを検知することにより、個人属性情報を検知する。個人属性情報が、利用者の平均睡眠時間及び利用者の過去所定日数における睡眠時間の少なくとも一方を含む。特定部が、個人情報を受け取ることができる。特定部が、個人情報に基づいて、利用者の個人属性情報を特定する。制御部が、個人属性情報を受け取ることができる。制御部が、個人属性情報に基づいて、利用者の睡眠時の環境を制御する。
【００４０】
したがって、個人属性情報が利用者の平均睡眠時間等を含むので、利用者の平均睡眠時間等の個人差に応じて睡眠時の環境を制御することができる。
【００４１】
本発明に関連する第１０態様に係る睡眠状態向上システムは、第２態様の睡眠状態向上システムであって、制御部は、読出装置が個人情報を読み出したことに基づいて、利用者が入眠したと推定する。
【００４２】
この睡眠状態向上システムでは、記憶部材が、利用者に携帯されることが可能である。読出装置が、個人情報を記憶部材から読み出す。個人情報が、利用者の個人属性情報である。特定部が、個人情報を受け取ることができる。特定部が、個人情報に基づいて、利用者の個人属性情報を特定する。制御部が、個人属性情報を受け取ることができる。制御部が、読出装置が個人情報を読み出したことに基づいて、利用者が入眠したと推定する。制御部が、個人属性情報に基づいて、利用者の睡眠時の環境を制御する。
【００４３】
したがって、読出装置が個人情報を読み出したことに基づいて利用者が入眠したと推定するので、外出先で入眠を検知することができない場合でも、利用者の睡眠時の環境を制御することができる。
【００４４】
本発明に関連する第１１態様に係る睡眠状態向上システムは、第４態様の睡眠状態向上システムであって、制御部は、読出装置が個人属性情報をネットワーク経由で受信したことに基づいて、利用者が入眠したと推定する。
【００４５】
この睡眠状態向上システムでは、記憶部材が、利用者に携帯されることが可能である。読出装置が、識別情報を記憶部材から読み出す。管理装置が、個人属性情報を利用者毎に記憶する。読出装置が、識別情報をネットワーク経由で管理装置へ送信する。管理装置が、識別情報をネットワーク経由で読出装置から受信することができる。特定部が、識別情報を受け取ることができる。特定部が、識別情報に基づいて、利用者の個人属性情報を特定する。管理装置が、利用者の個人属性情報をネットワーク経由で読出装置へ送信する。読出装置が、利用者の個人属性情報をネットワーク経由で管理装置から受信することができる。制御部が、読出装置が個人属性情報をネットワーク経由で受信したことに基づいて、利用者が入眠したと推定する。制御部が、個人属性情報に基づいて、利用者の睡眠時の環境を制御する。
【００４６】
したがって、読出装置が個人属性情報をネットワーク経由で受信したことに基づいて利用者が入眠したと推定するので、外出先で入眠を検知することができない場合でも、利用者の睡眠時の環境を制御することができる。
【００４７】
本発明に関連する第１２態様に係る睡眠状態向上システムは、第７態様から第１１態様のいずれかの睡眠状態向上システムであって、環境は、利用者の周辺の温度である。制御部は、利用者の入眠から第１所定時間において徐々に温度を低下させ、利用者の起床までの第２所定時間において徐々に温度を上昇させる。
【００４８】
この睡眠状態向上システムでは、検知部が、生体情報に基づいて、利用者の入眠を検知する。あるいは、制御部が、読出装置が個人情報を読み出したことに基づいて、利用者が入眠したと推定する。あるいは、制御部が、読出装置が個人属性情報をネットワーク経由で受信したことに基づいて、利用者が入眠したと推定する。さらに、制御部が、利用者の起床すべき時刻を推定することができる。制御部が、利用者の入眠から第１所定時間において徐々に温度を低下させ、利用者の起床までの第２所定時間において徐々に温度を上昇させる。
【００４９】
したがって、利用者の入眠から第１所定時間において徐々に温度を低下させ、利用者の起床までの第２所定時間において徐々に温度を上昇させるので、利用者の睡眠時の温度を生体リズムに適した温度に制御することができる。
【００５０】
本発明に関連する第１３態様に係る睡眠状態向上システムは、第８態様の睡眠状態向上システムであって、個人属性情報は、利用者の睡眠深度、利用者の体温、利用者の平均睡眠時間及び利用者の過去所定日数における睡眠時間の少なくとも１つを含む。
【００５１】
この睡眠状態向上システムでは、記憶部材が、利用者に携帯されることが可能である。個人情報が記憶部材から読み出され得る。特定部が、個人情報を受け取ることができる。検知部が、生体情報に基づいて、個人属性情報を検知する。個人属性情報が、利用者の睡眠深度、利用者の体温、利用者の平均睡眠時間及び利用者の過去所定日数における睡眠時間の少なくとも１つを含む。特定部が、個人情報を受け取ることができる。特定部が、個人情報に基づいて、利用者の個人属性情報を特定する。制御部が、個人属性情報を受け取ることができる。制御部が、個人属性情報に基づいて、利用者の睡眠時の環境を制御する。
【００５２】
したがって、個人属性情報を動的な情報とすることができるので、利用者の動的な情報に応じて睡眠時の環境を制御することができる。
【００５３】
本発明に関連する第１４態様に係る睡眠状態向上システムは、第１態様から第１３態様のいずれかの睡眠状態向上システムであって、制御部は、空気調和機を制御することにより、利用者の睡眠時の環境を制御する。環境は、空調環境である。空調環境は、空気調和機から吹き出される空調空気の温度、空気調和機から吹き出される空調空気の湿度、空気調和機から吹き出される空調空気の風向、空気調和機から吹き出される空調空気の風量、空気調和機から吹き出される空調空気の清浄度及び空気調和機が行う換気量の少なくとも１つである。
【００５４】
この睡眠状態向上システムでは、記憶部材が、利用者に携帯されることが可能である。個人情報が記憶部材から読み出され得る。特定部が、個人情報を受け取ることができる。特定部が、個人情報に基づいて、利用者の個人属性情報を特定する。制御部が、個人属性情報を受け取ることができる。制御部が、個人属性情報に基づいて、利用者の睡眠時の環境を制御する。制御部が、空気調和機を制御することにより、利用者の睡眠時の環境を制御する。環境が、空調環境である。空調環境が、空気調和機から吹き出される空調空気の温度、空気調和機から吹き出される空調空気の湿度、空気調和機から吹き出される空調空気の風向、空気調和機から吹き出される空調空気の風量、空気調和機から吹き出される空調空気の清浄度及び空気調和機が行う換気量の少なくとも１つである。
【００５５】
したがって、個人属性情報に基づいて利用者の睡眠時の空調環境を制御するので、利用者の個人差に応じて睡眠時の空調環境を制御することができる。
【００５６】
本発明に関連する第１５態様に係る睡眠状態向上方法は、利用者の睡眠状態を向上するための睡眠状態向上方法であって、携帯ステップと特定ステップと制御ステップとを備える。携帯ステップでは、記憶部材が携帯される。特定ステップでは、個人情報に基づいて、利用者の個人属性情報が特定される。個人情報は、記憶部材に記憶された情報である。制御ステップでは、個人属性情報に基づいて、利用者の睡眠時の環境が制御される。
【００５７】
この睡眠状態向上方法では、携帯ステップにおいて、記憶部材が携帯される。特定ステップにおいて、個人情報が記憶部材から読み出され得る。特定ステップにおいて、個人情報が受け取られ得る。特定ステップにおいて、個人情報に基づいて、利用者の個人属性情報が特定される。制御ステップにおいて、個人属性情報が受け取られ得る。制御ステップにおいて、個人属性情報に基づいて、利用者の睡眠時の環境が制御される。
【００５８】
したがって、個人情報に基づいて利用者の個人属性情報を特定するので、利用者の外出時においても利用者の個人属性情報を特定することができる。また、個人属性情報に基づいて利用者の睡眠時の環境を制御するので、利用者の個人差に応じて睡眠時の環境を制御することができる。このため、利用者の外出時においても利用者の睡眠状態を向上することができる。
【発明の効果】
【００５９】
本発明に係る睡眠状態向上システムでは、利用者の外出時においても利用者の睡眠状態を向上することができる。
【００６０】
本発明に関連する第１態様に係る睡眠状態向上システムでは、個人情報に基づいて利用者の個人属性情報を特定するので、利用者の外出時においても利用者の個人属性情報を特定することができる。また、個人属性情報に基づいて利用者の睡眠時の環境を制御するので、利用者の個人差に応じて睡眠時の環境を制御することができる。このため、利用者の外出時においても利用者の睡眠状態を向上することができる。
【００６１】
本発明に関連する第２態様に係る睡眠状態向上システムでは、個人情報に基づいて利用者の個人属性情報を特定するので、利用者の外出時においても利用者の個人属性情報を特定することができる。また、個人属性情報に基づいて利用者の睡眠時の環境を制御するので、利用者の個人差に応じて睡眠時の環境を制御することができる。このため、利用者の外出時においても利用者の睡眠状態を向上することができる。
【００６２】
本発明に関連する第３態様に係る睡眠状態向上システムでは、個人情報が利用者の個人属性情報を含むので、個人属性情報を記憶部材から読み出して、個人属性情報に基づいて利用者の睡眠時の環境が制御されるようにすることができる。
【００６３】
本発明に関連する第４態様に係る睡眠状態向上システムでは、個人属性情報を管理装置側で記憶しているので、記憶部材における記憶容量を節約することができる。また、個人属性情報を管理装置側で記憶しているので、個人属性情報を利用者の側で管理する負担を低減することができる。
【００６４】
本発明に関連する第５態様に係る睡眠状態向上システムでは、個人属性情報が入力されるので、利用者の個人属性情報を記憶して個人情報に基づいて利用者の個人属性情報が特定されるようにすることができる。
【００６５】
本発明に関連する第６態様に係る睡眠状態向上システムでは、個人属性情報を静的な情報とすることができるので、利用者の静的な情報に応じて睡眠時の環境を制御することができる。
【００６６】
本発明に関連する第７態様に係る睡眠状態向上システムでは、生体情報に基づいて利用者の入眠を検知するので、利用者の睡眠時の環境を制御しはじめるタイミングを決めることができる。
【００６７】
本発明に関連する第８態様に係る睡眠状態向上システムでは、個人属性情報を検知するので、利用者の個人属性情報を記憶して個人情報に基づいて利用者の個人属性情報が特定されるようにすることができる。
【００６８】
本発明に関連する第９態様に係る睡眠状態向上システムでは、個人属性情報が利用者の平均睡眠時間等を含むので、利用者の平均睡眠時間等の個人差に応じて睡眠時の環境を制御することができる。
【００６９】
本発明に関連する第１０態様に係る睡眠状態向上システムでは、読出装置が個人情報を読み出したことに基づいて利用者が入眠したと推定するので、外出先で入眠を検知することができない場合でも、利用者の睡眠時の環境を制御することができる。
【００７０】
本発明に関連する第１１態様に係る睡眠状態向上システムでは、読出装置が個人属性情報をネットワーク経由で受信したことに基づいて利用者が入眠したと推定するので、外出先で入眠を検知することができない場合でも、利用者の睡眠時の環境を制御することができる。
【００７１】
本発明に関連する第１２態様に係る睡眠状態向上システムでは、利用者の入眠から第１所定時間において徐々に温度を低下させ、利用者の起床までの第２所定時間において徐々に温度を上昇させるので、利用者の睡眠時の温度を生体リズムに適した温度に制御することができる。
【００７２】
本発明に関連する第１３態様に係る睡眠状態向上システムでは、個人属性情報を動的な情報とすることができるので、利用者の動的な情報に応じて睡眠時の環境を制御することができる。
【００７３】
本発明に関連する第１４態様に係る睡眠状態向上システムでは、個人属性情報に基づいて利用者の睡眠時の空調環境を制御するので、利用者の個人差に応じて睡眠時の空調環境を制御することができる。
【００７４】
本発明に関連する第１５態様に係る睡眠状態向上方法では、個人情報に基づいて利用者の個人属性情報を特定するので、利用者の外出時においても利用者の個人属性情報を特定することができる。また、個人属性情報に基づいて利用者の睡眠時の環境を制御するので、利用者の個人差に応じて睡眠時の環境を制御することができる。このため、利用者の外出時においても利用者の睡眠状態を向上することができる。
【発明を実施するための最良の形態】
【００７５】
−第１実施形態−
本発明の第１実施形態に係る睡眠状態向上システム１の概念図を図１に示す。また、本発明の第１実施形態に係る睡眠状態向上システム１の構成要素の構成図を図２に示す。図１に示す睡眠状態向上システム１は、主として利用者Ｐの睡眠状態を向上するためのシステムである。
【００７６】
＜睡眠状態向上システム１の全体構成＞
図１に示すように、この睡眠状態向上システム１は、主として、ベッド２０、制御装置３０、読出装置４０、空気調和機５０、書込装置６０及び記憶装置７０を備える。ベッド２０の上では、利用者Ｐにより睡眠が行われる。ベッド２０、制御装置３０、読出装置４０及び空気調和機５０は、利用者Ｐ（図１参照）の外出先の部屋に備えられている。記憶装置７０は、利用者Ｐ（図１参照）に携帯されて外出先の部屋に持って行かれる。
【００７７】
＜書込装置６０の構成＞
図１に示す書込装置６０は、図２に示すように、主として、送受信部６１と入力部６２とを備える。
【００７８】
図２に示す入力部６２に、個人属性情報が入力される。ここで、個人属性情報は、利用者Ｐ（図１参照）の年齢の情報である。送受信部６１が、個人属性情報を入力部６２から受け取り無線回線経由で記憶装置７０へ送信する。すなわち、個人属性情報が記憶装置７０に書き込まれる。
【００７９】
＜記憶装置７０の構成＞
図１に示す記憶装置７０は、図２に示すように、主として、送受信部７１と記憶部７２とを備える。記憶装置７０は、利用者Ｐ（図１参照）に携帯されることが可能である。ここで、記憶装置７０は、ＩＣカードである。
【００８０】
図２に示す送受信部７１が、個人属性情報を無線回線経由で書込装置６０から受信する。記憶部７２が、個人属性情報を送受信部７１から受け取り記憶する。すなわち、個人属性情報が記憶装置７０に書き込まれる。
【００８１】
送受信部７１が、個人情報を読み出したい旨の信号を無線回線経由で読出装置４０から受信し、個人情報を記憶部７２から受け取り無線回線経由で読出装置４０へ送信する。ここで、個人情報は、個人属性情報である。すなわち、個人情報が記憶装置７０から読み出される。
【００８２】
＜読出装置４０の構成＞
図１に示す読出装置４０は、図２に示すように、主として、送受信部４２と記憶部４１とを備える。
【００８３】
図２に示す送受信部４２が、個人情報を読み出したい旨の信号を無線回線経由で記憶装置７０へ送信する。
【００８４】
送受信部４２が、個人情報を無線回線経由で記憶装置７０から受信する。すなわち、個人情報が記憶装置７０から読み出される。記憶部４１が、個人情報を送受信部４２から受け取り一時的に記憶する。記憶部４１が、個人情報を制御装置３０へ渡す。
【００８５】
＜ベッド２０の構成＞
図１に示すベッド２０は、図２に示すように、主として、マイクロ波ドップラーセンサ１０を備える。マイクロ波ドップラーセンサ１０は、主として送信部１１，受信部１２，処理部１３及び演算部１４を備える。
【００８６】
図２に示すマイクロ波ドップラーセンサ１０の送信部１１が、利用者Ｐ（図１参照）に向けてマイクロ波を送信する。なお、マイクロ波は、ベッド２０や衣服の材料である布、羽毛や化学繊維などを透過し、体表面や金属などで反射する性質を持っている。受信部１２が、反射波を受信する。ここで、反射波が、利用者Ｐ（図１参照）の体表面でマイクロ波が反射したものである。すなわち、マイクロ波ドップラーセンサ１０は、利用者Ｐ（図１参照）に非接触で、マイクロ波や反射波を取得する。演算部１４が、マイクロ波の信号を、処理部１３経由で送信部１１から受け取る。演算部１４が、反射波の信号を、処理部１３経由で受信部１２から受け取る。演算部１４が、変化情報を演算する。変化情報は、マイクロ波の信号に対する反射波の信号の変化に関する情報である。演算部１４が、変化情報を体動の大きさの情報とする。処理部１３が、体動の大きさの情報を、演算部１４から受け取り、制御装置３０へ渡す。
【００８７】
＜制御装置３０の構成＞
図１に示す制御装置３０は、図２に示すように、主として、制御部３２と特定部３１とを備える。
【００８８】
図２に示す制御部３２が、個人情報を読出装置４０の記憶部４１から受け取る。特定部３１が、個人情報を制御部３２から受け取り、個人情報に基づいて、個人属性情報を特定する。ここで、個人情報は、個人属性情報である。制御部３２が、個人属性情報を特定部３１から受け取る。制御部３２が、個人属性情報に基づいて、利用者Ｐ（図１参照）の睡眠時の環境を制御する。
【００８９】
具体的には、制御部３２が、個人属性情報に基づいて、利用者Ｐ（図１参照）の睡眠時間を決定する。ここで、個人属性情報は、利用者Ｐ（図１参照）の年齢の情報である。制御部３２が、体動の大きさの情報を、ベッド２０のマイクロ波ドップラーセンサ１０から受け取る。制御部３２が、体動の大きさの情報に基づいて、利用者Ｐ（図１参照）の就寝を判断する。あるいは、制御部３２が、体動の大きさの情報に基づいて、利用者Ｐ（図１参照）の入眠を判断する。制御部３２が、入眠したと判断した際に、タイマ（図示せず）を参照して入眠の時刻を特定する。制御部３２が、利用者Ｐ（図１参照）の睡眠時間の情報と入眠の時刻の情報とに基づいて、利用者Ｐ（図１参照）の起床すべき時刻を推定する。
【００９０】
また、制御部３２が、利用者Ｐ（図１参照）の入眠から第１所定時間（例えば、３時間）において、所定温度から徐々に温度が低下する制御信号を生成して空気調和機５０へ渡す。制御部３２が、利用者Ｐ（図１参照）の入眠から第１所定時間経過後、温度を保持する制御信号を生成して空気調和機５０へ渡す。制御部３２が、利用者Ｐ（図１参照）の起床までの第２所定時間（例えば、３時間）において、保持されていた温度から徐々に温度が上昇する制御信号を生成して空気調和機５０へ渡す。制御部３２が、利用者Ｐ（図１参照）の起床すべき時刻において、ブザー（図示せず）などに報知を行わせて利用者Ｐ（図１参照）を起床させるようにする。
【００９１】
＜空気調和機５０の構成＞
図１に示す空気調和機５０は、通常の空気調和機である。
【００９２】
空気調和機５０が、利用者Ｐ（図１参照）の入眠から第１所定時間において、所定温度から徐々に温度が低下する制御信号を制御装置３０から受け取り、制御信号に基づいて利用者Ｐ（図１参照）付近に空調環境を提供する。
【００９３】
空気調和機５０が、利用者Ｐ（図１参照）の入眠から第１所定時間経過後、温度を保持する制御信号を制御装置３０から受け取り、制御信号に基づいて利用者Ｐ（図１参照）付近に空調環境を提供する。
【００９４】
空気調和機５０が、利用者Ｐ（図１参照）の起床までの第２所定時間において、保持されていた温度から徐々に温度が上昇する制御信号を制御装置３０から受け取り、制御信号に基づいて利用者Ｐ（図１参照）付近に空調環境を提供する。
【００９５】
＜睡眠状態向上システム１が利用者Ｐの睡眠状態を向上する処理の流れ＞
図１に示す睡眠状態向上システム１が利用者Ｐの睡眠状態を向上する処理の流れを、図３に示すフローチャートを用いて説明する。
【００９６】
図３に示すステップＳ１では、個人属性情報が入力される。すなわち、図２に示す書込装置６０の入力部６２に、個人属性情報が入力される。ここで、個人属性情報は、利用者Ｐ（図１参照）の年齢の情報である。
【００９７】
図３に示すステップＳ２では、個人属性情報が書き込まれる。すなわち、図２に示す書込装置６０の送受信部６１により、個人属性情報が入力部６２から受け取られ無線回線経由で記憶装置７０へ送信される。記憶装置７０の送受信部７１により、個人属性情報が無線回線経由で書込装置６０から受信される。記憶部７２により、個人属性情報が送受信部７１から受け取られ記憶される。すなわち、個人属性情報が記憶装置７０に書き込まれる。
【００９８】
図３に示すステップＳ３では、記憶装置７０が携帯される。すなわち、図１に示す利用者Ｐにより、記憶装置７０が携帯されて外出先の部屋に持って行かれる。
【００９９】
図３に示すステップＳ４では、個人情報が読み出される。すなわち、図２に示す読出装置４０の送受信部４２により、個人情報を読み出したい旨の信号が無線回線経由で記憶装置７０へ送信される。ここで、個人情報は、個人属性情報である。個人属性情報は、利用者Ｐ（図１参照）の年齢に関する情報である。記憶装置７０の送受信部７１により、個人情報を読み出したい旨の信号が無線回線経由で読出装置４０から受信され、個人情報（個人属性情報）が記憶部７２から受け取られ無線回線経由で読出装置４０へ送信される。読出装置４０の送受信部４２により、個人情報（個人属性情報）が無線回線経由で記憶装置７０から受信される。すなわち、個人情報（個人属性情報）が記憶装置７０から読み出される。記憶部４１により、個人情報（個人属性情報）が送受信部４２から受け取られ一時的に記憶される。
【０１００】
図３に示すステップＳ５では、個人属性情報が特定される。すなわち、図２に示す制御装置３０の制御部３２により、個人情報（個人属性情報）が読出装置４０の記憶部４１から受け取られる。特定部３１により、個人情報（個人属性情報）が制御部３２から受け取られ、個人情報に基づいて、個人属性情報が特定される。ここで、個人情報は、個人属性情報である。制御装置３０の制御部３２により、個人属性情報が特定部３１から受け取られる。
【０１０１】
図３に示すステップＳ６では、睡眠状態向上処理が行われる。
【０１０２】
＜睡眠状態向上処理の流れ＞
図３に示す睡眠状態向上処理Ｓ６の詳細を、図４，図５に示すフローチャートを用いて説明する。
【０１０３】
図４に示すステップＳ１０では、睡眠時間が決定される。すなわち、図２に示す制御部３２により、個人属性情報に基づいて、利用者Ｐ（図１参照）の睡眠時間が決定される。ここで、個人属性情報は、利用者Ｐ（図１参照）の年齢の情報である。
【０１０４】
図４に示すステップＳ１１では、就寝が検知される。すなわち、図２に示すマイクロ波ドップラーセンサ１０の送信部１１により、利用者Ｐ（図１参照）に向けてマイクロ波が送信される。なお、マイクロ波は、ベッド２０や衣服の材料である布、羽毛や化学繊維などを透過し、体表面や金属などで反射する性質を持っている。受信部１２により、反射波が受信される。ここで、反射波が、利用者Ｐ（図１参照）の体表面でマイクロ波が反射したものである。すなわち、マイクロ波ドップラーセンサ１０により、利用者Ｐ（図１参照）に非接触で、マイクロ波や反射波が取得される。演算部１４により、マイクロ波の信号が、処理部１３経由で送信部１１から受け取られる。演算部１４により、反射波の信号が、処理部１３経由で受信部１２から受け取られる。演算部１４により、変化情報が演算される。変化情報は、マイクロ波の信号に対する反射波の信号の変化に関する情報である。演算部１４により、変化情報が体動の大きさの情報とされる。処理部１３により、体動の大きさの情報が、演算部１４から受け取られ、制御装置３０へ渡される。
【０１０５】
図４に示すステップＳ１２では、利用者が就寝したか否かが判断される。すなわち、図２に示す制御装置３０の制御部３２により、体動の大きさの情報が、ベッド２０のマイクロ波ドップラーセンサ１０から受け取られる。制御部３２により、体動の大きさの情報に基づいて、利用者Ｐ（図１参照）が就寝したか否かが判断される。利用者Ｐ（図１参照）が就寝したと判断された場合、ステップＳ１３へ進められ、利用者Ｐ（図１参照）が就寝していないと判断された場合、ステップＳ１１へ進められる。
【０１０６】
図４に示すステップＳ１３では、入眠が検知される。すなわち、図２に示すマイクロ波ドップラーセンサ１０の送信部１１により、利用者Ｐ（図１参照）に向けてマイクロ波が送信される。なお、マイクロ波は、ベッド２０や衣服の材料である布、羽毛や化学繊維などを透過し、体表面や金属などで反射する性質を持っている。受信部１２により、反射波が受信される。ここで、反射波が、利用者Ｐ（図１参照）の体表面でマイクロ波が反射したものである。すなわち、マイクロ波ドップラーセンサ１０により、利用者Ｐ（図１参照）に非接触で、マイクロ波や反射波が取得される。演算部１４により、マイクロ波の信号が、処理部１３経由で送信部１１から受け取られる。演算部１４により、反射波の信号が、処理部１３経由で受信部１２から受け取られる。演算部１４により、変化情報が演算される。変化情報は、マイクロ波の信号に対する反射波の信号の変化に関する情報である。演算部１４により、変化情報が体動の大きさの情報とされる。処理部１３により、体動の大きさの情報が、演算部１４から受け取られ、制御装置３０へ渡される。
【０１０７】
図４に示すステップＳ１４では、利用者が入眠したか否かが判断される。すなわち、図２に示す制御装置３０の制御部３２により、体動の大きさの情報が、ベッド２０のマイクロ波ドップラーセンサ１０から受け取られる。制御部３２により、体動の大きさの情報に基づいて、利用者Ｐ（図１参照）が入眠したか否かが判断される。利用者Ｐ（図１参照）が入眠したと判断された場合、ステップＳ１５へ進められ、利用者Ｐ（図１参照）が入眠していないと判断された場合、ステップＳ１３へ進められる。
【０１０８】
図４に示すステップＳ１５では、入眠時刻が特定される。すなわち、図２に示す制御装置３０の制御部３２により、タイマ（図示せず）が参照されて入眠の時刻が特定される。制御部３２により、利用者Ｐ（図１参照）の睡眠時間の情報と入眠の時刻の情報とに基づいて、利用者Ｐ（図１参照）の起床すべき時刻が推定される。
【０１０９】
図４に示すステップＳ１６では、徐々に温度が低下するように制御される。すなわち、図２に示す制御装置３０の制御部３２により、所定温度から徐々に温度が低下する制御信号が生成されて空気調和機５０へ渡される。空気調和機５０により、所定温度から徐々に温度が低下する制御信号が制御装置３０から受け取られ、制御信号に基づいて利用者Ｐ（図１参照）付近に空調環境が提供される。
【０１１０】
図４に示すステップＳ１７では、第１所定時間を経過したか否かが判断される。すなわち、制御部３２により、タイマ（図示せず）が参照され、入眠時刻の情報と第１所定時間の情報とに基づいて、第１所定時間を経過したか否かが判断される。第１所定時間を経過したと判断された場合、ステップＳ１８（図４，図５で示す（１））へ進められ、第１所定時間を経過していないと判断された場合、ステップＳ１６へ進められる。
【０１１１】
図５に示すステップＳ１８（図５で示す（１））では、温度が保持される。すなわち、図２に示す制御装置３０の制御部３２により、温度を保持する制御信号が生成されて空気調和機５０へ渡される。空気調和機５０により、温度を保持する制御信号が制御装置３０から受け取られ、制御信号に基づいて利用者Ｐ（図１参照）付近に空調環境が提供される。
【０１１２】
図５に示すステップＳ１９では、起床すべき時刻よりも第２所定時間前の時刻を経過したか否かが判断される。すなわち、図２に示す制御装置３０の制御部３２により、タイマ（図示せず）が参照され、起床すべき時刻の情報と第２所定時間の情報とに基づいて、起床すべき時刻よりも第２所定時間前の時刻を経過したか否かが判断される。起床すべき時刻よりも第２所定時間前の時刻を経過したと判断された場合、ステップＳ２０へ進められ、起床すべき時刻よりも第２所定時間前の時刻を経過していないと判断された場合、ステップＳ１８へ進められる。
【０１１３】
図５に示すステップＳ２０では、徐々に温度が上昇するように制御される。すなわち、図２に示す制御装置３０の制御部３２により、保持されていた温度から徐々に温度が上昇する制御信号が生成されて空気調和機５０へ渡される。空気調和機５０により、保持されていた温度から徐々に温度が上昇する制御信号が制御装置３０から受け取られ、制御信号に基づいて利用者Ｐ（図１参照）付近に空調環境が提供される。
【０１１４】
図５に示すステップＳ２１では、起床時刻であるか否かが判断される。すなわち、図２に示す制御装置３０の制御部３２により、タイマ（図示せず）が参照され、起床すべき時刻の情報に基づいて、起床時刻であるか否かが判断される。起床時刻であると判断された場合、ステップＳ２２へ進められ、起床時刻でないと判断された場合、ステップＳ２０へ進められる。
【０１１５】
図５に示すステップＳ２２では、起床時処理が行われる。すなわち、図２に示す制御装置３０の制御部３２により、ブザー（図示せず）などに報知を行わせて利用者Ｐ（図１参照）を起床させるようにされる。
【０１１６】
＜睡眠状態向上システム１に関する特徴＞
（１）
ここでは、図２に示す記憶装置７０が、利用者Ｐ（図１参照）に携帯されることが可能である。個人情報が記憶装置７０から読み出される。図２に示す制御装置３０の特定部３１が、個人情報を制御部３２から受け取る。特定部３１が、個人情報に基づいて、利用者Ｐ（図１参照）の個人属性情報を特定する。ここで、個人情報は、利用者Ｐ（図１参照）の個人属性情報である。制御部３２が、個人属性情報を特定部３１から受け取る。制御部３２が、個人属性情報に基づいて、利用者Ｐ（図１参照）の睡眠時の環境を制御する。
【０１１７】
したがって、個人情報に基づいて利用者Ｐ（図１参照）の個人属性情報を特定するので、利用者Ｐ（図１参照）の外出時においても利用者Ｐ（図１参照）の個人属性情報を特定することが可能である。また、個人属性情報に基づいて利用者Ｐ（図１参照）の睡眠時の環境を制御するので、利用者Ｐ（図１参照）の個人差に応じて睡眠時の環境を制御することが可能である。このため、利用者Ｐ（図１参照）の外出時においても利用者の睡眠状態を向上することが可能である。
【０１１８】
（２）
ここでは、図２に示す記憶装置７０が、利用者Ｐ（図１参照）に携帯されることが可能である。読出装置４０が、個人情報を記憶装置７０から読み出す。特定部３１が、個人情報を制御部３２から受け取る。特定部３１が、個人情報に基づいて、利用者Ｐ（図１参照）の個人属性情報を特定する。ここで、個人情報は、利用者Ｐ（図１参照）の個人属性情報である。制御部３２が、個人属性情報を特定部３１から受け取る。制御部３２が、個人属性情報に基づいて、利用者Ｐ（図１参照）の睡眠時の環境を制御する。
【０１１９】
したがって、個人情報に基づいて利用者Ｐ（図１参照）の個人属性情報を特定するので、利用者Ｐ（図１参照）の外出時においても利用者Ｐ（図１参照）の個人属性情報を特定することが可能である。また、個人属性情報に基づいて利用者Ｐ（図１参照）の睡眠時の環境を制御するので、利用者Ｐ（図１参照）の個人差に応じて睡眠時の環境を制御することが可能である。このため、利用者Ｐ（図１参照）の外出時においても利用者Ｐ（図１参照）の睡眠状態を向上することが可能である。
【０１２０】
（３）
ここでは、図２に示す記憶装置７０が、利用者Ｐ（図１参照）に携帯されることが可能である。個人情報が記憶装置７０から読み出される。個人情報が、利用者Ｐ（図１参照）の個人属性情報を含む。特定部３１が、個人情報を制御部３２から受け取る。特定部３１が、個人情報に基づいて、利用者Ｐ（図１参照）の個人属性情報を特定する。ここで、個人情報は、利用者Ｐ（図１参照）の個人属性情報である。制御部３２が、個人属性情報を特定部３１から受け取る。制御部３２が、個人属性情報に基づいて、利用者Ｐ（図１参照）の睡眠時の環境を制御する。
【０１２１】
したがって、個人情報が利用者Ｐ（図１参照）の個人属性情報であるので、個人属性情報を記憶装置７０から読み出して、個人属性情報に基づいて利用者Ｐ（図１参照）の睡眠時の環境が制御されるようにすることが可能である。
【０１２２】
（４）
ここでは、図２に示す記憶装置７０が、利用者Ｐ（図１参照）に携帯されることが可能である。書込装置６０の入力部６２に、個人属性情報が入力される。個人属性情報が記憶装置７０に記憶される。個人情報が記憶装置７０から読み出される。特定部３１が、個人情報を制御部３２から受け取る。特定部３１が、個人属性情報を制御部３２から受け取る。特定部３１が、個人情報に基づいて、利用者Ｐ（図１参照）の個人属性情報を特定する。ここで、個人情報は、利用者Ｐ（図１参照）の個人属性情報である。制御部３２が、個人属性情報を特定部３１から受け取る。制御部３２が、個人属性情報に基づいて、利用者Ｐ（図１参照）の睡眠時の環境を制御する。
【０１２３】
したがって、個人属性情報が入力されるので、利用者Ｐ（図１参照）の個人属性情報を記憶して個人情報に基づいて利用者Ｐ（図１参照）の個人属性情報が特定されるようにすることが可能である。
【０１２４】
（５）
ここでは、図２に示す記憶装置７０が、利用者Ｐ（図１参照）に携帯されることが可能である。書込装置６０の入力部６２に、個人属性情報が入力される。個人属性情報が、利用者Ｐ（図１参照）の年齢の情報である。個人属性情報が記憶装置７０に記憶される。個人情報が記憶装置７０から読み出される。特定部３１が、個人情報を制御部３２から受け取る。特定部３１が、個人情報を制御部３２から受け取る。特定部３１が、個人情報に基づいて、利用者Ｐ（図１参照）の個人属性情報を特定する。ここで、個人情報は、利用者Ｐ（図１参照）の個人属性情報である。制御部３２が、個人属性情報を特定部３１から受け取る。制御部３２が、個人属性情報に基づいて、利用者Ｐ（図１参照）の睡眠時の環境を制御する。
【０１２５】
したがって、個人属性情報を静的な情報とすることができるので、利用者Ｐ（図１参照）の静的な情報に応じて睡眠時の環境を制御することが可能である。
【０１２６】
（６）
ここでは、図２に示す記憶装置７０が、利用者Ｐ（図１参照）に携帯されることが可能である。個人情報が記憶装置７０から読み出される。特定部３１が、個人情報を制御部３２から受け取る。特定部３１が、個人情報に基づいて、利用者Ｐ（図１参照）の個人属性情報を特定する。ここで、個人情報は、利用者Ｐ（図１参照）の個人属性情報である。制御部３２が、個人属性情報を特定部３１から受け取る。マイクロ波ドップラーセンサ１０が、生体情報に基づいて、利用者Ｐ（図１参照）の入眠を検知する。ここで、生体情報は、利用者Ｐ（図１参照）の体動に関する情報である。制御部３２が、利用者Ｐ（図１参照）の入眠の情報をマイクロ波ドップラーセンサ１０から受け取る。制御部３２が、個人属性情報に基づいて、利用者の睡眠時の環境を制御する。
【０１２７】
したがって、生体情報に基づいて利用者Ｐ（図１参照）の入眠を検知するので、利用者Ｐ（図１参照）の睡眠時の環境を制御しはじめるタイミングを決めることが可能である。
【０１２８】
（７）
ここでは、図２に示すマイクロ波ドップラーセンサ１０が、生体情報に基づいて、利用者Ｐ（図１参照）の入眠を検知する。制御部３２が、利用者Ｐ（図１参照）の入眠の情報をマイクロ波ドップラーセンサ１０から受け取る。制御部３２が、利用者Ｐ（図１参照）の入眠から第１所定時間において徐々に温度を低下させ、利用者Ｐ（図１参照）の起床までの第２所定時間において徐々に温度を上昇させる。
【０１２９】
したがって、利用者Ｐ（図１参照）の入眠から第１所定時間において徐々に温度を低下させ、利用者Ｐ（図１参照）の起床までの第２所定時間において徐々に温度を上昇させるので、利用者Ｐ（図１参照）の睡眠時の温度を生体リズムに適した温度に制御することが可能である。
【０１３０】
（８）
ここでは、図２に示す記憶装置７０が、利用者Ｐ（図１参照）に携帯されることが可能である。個人情報が記憶装置７０から読み出される。特定部３１が、個人情報を制御部３２から受け取る。特定部３１が、個人情報に基づいて、利用者Ｐ（図１参照）の個人属性情報を特定する。ここで、個人情報は、利用者Ｐ（図１参照）の個人属性情報である。制御部３２が、個人属性情報を特定部３１から受け取る。制御部３２が、個人属性情報に基づいて、利用者Ｐ（図１参照）の睡眠時の環境を制御する。制御部３２が、空気調和機５０を制御することにより、利用者Ｐ（図１参照）の睡眠時の環境を制御する。環境が、空調環境である。空調環境が、空気調和機５０から吹き出される空調空気の温度である。
【０１３１】
したがって、個人属性情報に基づいて利用者Ｐ（図１参照）の睡眠時の空調環境を制御するので、利用者Ｐ（図１参照）の個人差に応じて睡眠時の空調環境を制御することが可能である。
【０１３２】
＜第１実施形態の変形例＞
（Ａ）図２に示すベッド２０は、マイクロ波ドップラーセンサ１０を備えていなくてもよい。このとき、制御装置３０の制御部３２は、読出装置４０が個人情報を記憶装置７０から読み出したことに基づいて、利用者Ｐ（図１参照）が入眠したと推定してもよい。すなわち、制御装置３０の制御部３２が、個人情報を読出装置４０の記憶部４１から受け取った際に、利用者Ｐ（図１参照）が入眠したと推定してもよい。
【０１３３】
したがって、読出装置４０が個人情報を読み出したことに基づいて利用者Ｐ（図１参照）が入眠したと推定するので、外出先で入眠を検知することができない場合でも、利用者Ｐ（図１参照）の睡眠時の環境を制御することができる。
【０１３４】
（Ｂ）個人属性情報は、利用者の年齢、利用者の性別、利用者の肥満度、利用者の健康状態及び利用者の人種の少なくとも１つを含んでいてもよい。個人属性情報として複数の情報を用いた場合、利用者Ｐ（図１参照）の睡眠時の環境を詳細に制御することができる。
【０１３５】
また、個人情報は、個人属性情報以外の情報を含んでいてもよい。例えば、利用者Ｐ（図１参照）を識別するための情報である識別情報を含んでいてもよい。識別情報は、例えば、利用者Ｐ（図１参照）の氏名、利用者Ｐ（図１参照）に割り当てられたＩＤ番号などであってもよい。この場合、図３に示すステップＳ５において、特定部３１により、個人情報（識別情報、個人属性情報）から個人属性情報が抜き出されることになる。
【０１３６】
（Ｃ）図２に示す制御装置３０の制御部３２が制御する空調環境は、空気調和機５０から吹き出される空調空気の温度、空気調和機５０から吹き出される空調空気の湿度、空気調和機５０から吹き出される空調空気の風向、空気調和機５０から吹き出される空調空気の風量、空気調和機５０から吹き出される空調空気の清浄度及び空気調和機５０が行う換気量の少なくとも１つであってもよい。制御部３２が複数の空調環境を制御する場合、利用者Ｐ（図１参照）の睡眠時の環境を詳細に制御することができる。
【０１３７】
例えば、図４に示すステップＳ１３で利用者Ｐ（図１参照）の入眠が検知される前に、利用者Ｐ（図１参照）の頭部付近の温度が低めにされ、利用者Ｐ（図１参照）の足部付近の温度が高め（例えば、頭部との温度差４℃）にされるように、空調環境が制御されてもよい。この場合、利用者Ｐ（図１参照）を「頭寒足熱」の状態とすることができるので、利用者Ｐ（図１参照）の入眠を促進することができる。
【０１３８】
（Ｄ）図２に示す制御装置３０の制御部３２は、空調環境、照明環境、音響環境及び臭いの環境の少なくとも１つを制御してもよい。例えば、図５に示すステップＳ２２において、ブザー（図示せず）の代わりに照明装置（図示せず）に報知（明るくするなど）を行わせて利用者Ｐ（図１参照）が起床するようにされてもよい。この場合、利用者Ｐ（図１参照）が無理なく目覚めるようにすることができる。例えば、図５に示すステップＳ１８において、利用者Ｐ（図１参照）の自律神経がリラックスできるような香りを発臭装置（図示せず）から出すようにしてもよい。この場合、利用者Ｐ（図１参照）の睡眠状態をさらに向上することができる。
【０１３９】
（Ｅ）図１に示す記憶装置７０は、利用者Ｐ（図１参照）に携帯されることが可能であり、個人情報を記憶することが可能であれば、どのような部材であってもよい。例えば、メモリーカードであってもよいし、ＩＣタグであってもよいし、携帯電話機などの携帯情報端末などであってもよい。記憶装置７０は、非接触型でもよいし、接触型でもよい。記憶装置７０が接触型である場合、読出装置４０や書込装置６０は、無線回線経由でなく有線回線経由で情報の受け渡しを行うことになる。ベッド２０は、航空機などの乗り物における座席であってもよい。この場合、空気調和機５０は、利用者Ｐ（図１参照）専用のパーソナル空調機であってもよい。
【０１４０】
（Ｆ）図６に示すように、睡眠状態向上システム１ａは、ベッド２０ａと制御装置３０ａとをさらに備えてもよい。ベッド２０ａと制御装置３０ａとは、利用者Ｐ（図６参照）の自宅など利用者Ｐ（図６参照）が普段睡眠している場所に備えられている。図６に示すベッド２０ａは、図７に示すように、主として、マイクロ波ドップラーセンサ１０ａを備える。マイクロ波ドップラーセンサ１０ａは、主として送信部１１ａ，受信部１２ａ，処理部１３ａ及び演算部１４ａを備える。制御装置３０ａは、主として、特定部３１ａ，制御部３２ａ及び記憶部３３ａを備える。また、書込装置６０ａは、入力部６２を備えずに記憶部６３ａを備える。
【０１４１】
マイクロ波ドップラーセンサ１０ａは、生体情報を検知する。ここで、生体情報は、利用者Ｐ（図６参照）の体動の情報である。制御装置３０ａの制御部３２ａが、体動の大きさの情報をマイクロ波ドップラーセンサ１０ａから受け取り、体動の大きさの情報に基づいて、入眠を判断する。制御部３２ａが、利用者Ｐ（図６参照）が入眠したと判断した際に、タイマ（図示せず）を参照し、入眠時刻を特定する。制御部３２ａが、体動の大きさの情報をマイクロ波ドップラーセンサ１０ａから受け取り、体動の大きさの情報に基づいて、起床を判断する。制御部３２ａが、利用者Ｐ（図６参照）が起床したと判断した際に、タイマ（図示せず）を参照し、起床時刻を特定する。制御部３２ａが、入眠時刻の情報と起床時刻の情報とに基づいて、睡眠時間を演算する。制御部３２ａが、睡眠時間の情報を記憶部３３ａに記憶させる。制御部３２ａが、記憶部３３ａを参照し、睡眠時間の情報に基づいて、利用者Ｐ（図６参照）の平均睡眠時間を演算する。すなわち、マイクロ波ドップラーセンサ１０ａが、生体情報に基づいて、利用者Ｐ（図６参照）の入眠と利用者Ｐ（図６参照）の起床とを検知することにより、個人属性情報（利用者Ｐ（図６参照）の平均睡眠時間）を検知する。制御部３２ａが、個人属性情報を書込装置６０ａに渡す。
【０１４２】
書込装置６０ａの記憶部６３ａが、個人属性情報を制御装置３０ａから受け取り記憶する。送受信部６１が、個人属性情報を記憶部６３ａから受け取り無線回線経由で記憶装置７０へ送信する。これらの点で第１実施形態と異なる。
【０１４３】
この場合、睡眠状態向上システム１ａが利用者Ｐ（図６参照）の睡眠状態を向上する処理の流れが、図８に示すように、次の点で第１実施形態と異なる。図８において、第１実施形態と同様の処理は同じ記号で示し説明を省略する。
【０１４４】
図８に示すステップＳ３１では、個人属性情報が検知される。すなわち、図６に示すベッド２０ａのマイクロ波ドップラーセンサ１０ａにより、生体情報が検知される。ここで、生体情報は、利用者Ｐ（図６参照）の体動の情報である。制御装置３０ａの制御部３２ａにより、体動の大きさの情報がマイクロ波ドップラーセンサ１０ａから受け取られ、体動の大きさの情報に基づいて、入眠が判断される。制御部３２ａにより、利用者Ｐ（図６参照）が入眠したと判断された際に、タイマ（図示せず）が参照され、入眠時刻が特定される。制御部３２ａにより、体動の大きさの情報がマイクロ波ドップラーセンサ１０ａから受け取られ、体動の大きさの情報に基づいて、起床が判断される。制御部３２ａにより、利用者Ｐ（図６参照）が起床したと判断された際に、タイマ（図示せず）が参照され、起床時刻が特定される。制御部３２ａにより、入眠時刻の情報と起床時刻の情報とに基づいて、睡眠時間が演算される。制御部３２ａにより、睡眠時間の情報が記憶部３３ａに記憶される。制御部３２ａにより、記憶部３３ａが参照され、睡眠時間の情報に基づいて、利用者Ｐ（図６参照）の平均睡眠時間が演算される。すなわち、マイクロ波ドップラーセンサ１０ａにより、生体情報に基づいて、利用者Ｐ（図６参照）の入眠と利用者Ｐ（図６参照）の起床とが検知されることにより、個人属性情報（利用者Ｐ（図６参照）の平均睡眠時間）が検知される。制御部３２ａにより、個人属性情報が書込装置６０ａに渡される。書込装置６０ａの記憶部６３ａにより、個人属性情報が制御装置３０ａから受け取られ記憶される。
【０１４５】
図８に示すステップＳ３２では、個人属性情報が書き込まれる。すなわち、図７に示す書込装置６０ａの送受信部６１により、個人属性情報が記憶部６３ａから受け取られ無線回線経由で記憶装置７０へ送信される。記憶装置７０の送受信部７１により、個人属性情報が無線回線経由で書込装置６０ａから受信される。記憶部７２により、個人属性情報が送受信部７１から受け取られ記憶される。すなわち、個人属性情報が記憶装置７０に書き込まれる。
【０１４６】
したがって、生体情報に基づいて利用者Ｐ（図６参照）の入眠を検知するので、利用者Ｐ（図６参照）の睡眠時の環境を制御しはじめるタイミングを決めることができる。また、個人属性情報を検知するので、利用者Ｐ（図６参照）の個人属性情報を記憶して個人情報に基づいて利用者Ｐ（図６参照）の個人属性情報が特定されるようにすることができる。さらに、個人属性情報が利用者Ｐ（図６参照）の平均睡眠時間を含むので、利用者Ｐ（図６参照）の平均睡眠時間の個人差に応じて睡眠時の環境を制御することができる。そして、個人属性情報を動的な情報とすることができるので、利用者Ｐ（図６参照）の動的な情報に応じて睡眠時の環境を制御することができる。
【０１４７】
（Ｇ）上記変形例（Ｆ）において、生体情報は、利用者Ｐ（図６参照）の体動、心拍及び呼吸の少なくとも１つに関する情報であってもよい。
【０１４８】
生体情報が利用者Ｐ（図６参照）の心拍に関する情報である場合、図６に示すマイクロ波ドップラーセンサ１０ａは、ベッド２０ａに備えられずに、利用者Ｐ（図６参照）の心臓部の上部の天井など、利用者Ｐ（図６参照）の心臓部にマイクロ波を送信することが可能な場所に設置される。このとき、マイクロ波ドップラーセンサ１０ａは、増幅部（図示せず）と抽出部（図示せず）と分析部（図示せず）とをさらにそなえてもよい。この場合、増幅部（図示せず）が、マイクロ波の信号を、送信部１１ａから受け取る。増幅部（図示せず）が、反射波の信号を、受信部１２ａから受け取る。増幅部（図示せず）が、マイクロ波の信号及び反射波の信号を増幅する。演算部１４ａが、マイクロ波に関する信号を、処理部１３ａ経由で増幅部（図示せず）から受け取る。ここで、マイクロ波に関する信号は、マイクロ波の信号を増幅した信号である。演算部１４ａが、反射波に関する信号を、処理部１３ａ経由で増幅部（図示せず）から受け取る。ここで、反射波に関する信号は、反射波の信号を増幅した信号である。演算部１４ａが、変化情報を演算する。ここで、変化情報は、マイクロ波に関する信号に対する反射波に関する信号の変化についての情報である。抽出部（図示せず）が、変化情報を、処理部１３ａ経由で演算部１４ａから受け取る。抽出部（図示せず）が、変化情報に基づいて、帯域情報を抽出する。帯域情報は、所定の周波数帯域（心拍の周波数に相当する周波数帯域）の情報である。分析部（図示せず）が、帯域情報を、処理部１３ａ経由で抽出部（図示せず）から受け取る。分析部（図示せず）が、帯域情報に基づいて、利用者Ｐ（図６参照）の心拍による微弱な体動を分析する。これにより、分析部（図示せず）が、帯域情報に基づいて、心拍情報を分析する。ここで、心拍情報は、例えば、ストレス度に関する情報である。なお、マイクロ波ドップラーセンサ１０についても、マイクロ波ドップラーセンサ１０ａと同様である。
【０１４９】
生体情報が利用者Ｐ（図６参照）の呼吸に関する情報である場合、上記と同様に心拍情報に基づいて利用者Ｐ（図６参照）の呼吸に関する情報が検知されてもよいし、利用者Ｐ（図６参照）の口の動きの情報（画像情報など）に基づいて利用者Ｐ（図６参照）の呼吸に関する情報が検知されてもよい。
【０１５０】
また、ベッド２０，２０ａは、マイクロ波ドップラーセンサ１０，１０ａの代わりに、マット型センサを備えていてもよい。この場合でも、生体情報を検知することが可能である。
【０１５１】
（Ｈ）上記変形例（Ｆ），（Ｇ）において、個人属性情報は、利用者Ｐ（図６参照）の平均睡眠時間及び利用者Ｐ（図６参照）の過去所定日数における睡眠時間の少なくとも一方を含んでいてもよい。したがって、個人属性情報が利用者Ｐ（図６参照）の平均睡眠時間等を含むので、利用者Ｐ（図６参照）の平均睡眠時間等の個人差に応じて睡眠時の環境を制御することができる。
【０１５２】
例えば、個人属性情報が過去３日間における睡眠時間である場合、過去３日間徹夜したときでも、図４に示すステップＳ１０において、睡眠時間が適切に決められ得る。
【０１５３】
−第２実施形態−
本発明の第２実施形態に係る睡眠状態向上システム１００の概念図を図９に示す。また、本発明の第２実施形態に係る睡眠状態向上システム１００の各構成要素の構成図を図１０に示す。図９，図１０において、図１，図２の睡眠状態向上システム１の構成要素と同様の構成要素は同じ番号で示してある。図９に示す睡眠状態向上システム１００は、主として利用者Ｐの睡眠状態を向上するためのシステムである。
【０１５４】
この睡眠状態向上システム１００は、図９，図１０に示すように、基本的な構造は第１実施形態と同様であり各構成要素は図２と同様であるが、図９に示す管理センター１８０をさらに備える点で第１実施形態と異なる。すなわち、管理センター１８０、読出装置１４０及び書込装置１６０は、ネットワーク１９０で互いに接続されている。管理センター１８０は、図１０に示すように、主として、個人属性情報データベース１８１，特定部１８２及び送受信部１８３を備える。書込装置１６０は、送受信部１６３をさらに備える。読出装置１４０は、送受信部１４３をさらに備える。
【０１５５】
図１０に示す書込装置１６０の入力部６２に、識別情報と個人属性情報とが入力される。ここで、識別情報は、利用者Ｐ（図９参照）を識別するための情報である。個人属性情報は、利用者Ｐ（図９参照）の年齢の情報である。送受信部６１が、識別情報を入力部６２から受け取り無線回線経由で記憶装置７０へ送信する。送受信部７１が、識別情報を無線回線経由で書込装置１６０から受信する。記憶部７２が、識別情報を送受信部７１から受け取り記憶する。すなわち、識別情報が記憶装置７０に書き込まれる。
【０１５６】
書込装置１６０の送受信部１６３が、識別情報と個人属性情報とを入力部６２から受け取りネットワーク１９０経由で管理センター１８０へ送信する。管理センター１８０の送受信部１８３が、識別情報と個人属性情報とをネットワーク１９０経由で書込装置１６０から受信する。個人属性情報データベース１８１が、識別情報と個人属性情報とを特定部１８２経由で送受信部１８３から受け取り、個人属性情報を利用者Ｐ（図９参照）毎に記憶する。すなわち、個人属性情報データベース１８１には、識別情報と個人属性情報とが対応づけられて記憶される。
【０１５７】
読出装置１４０の送受信部４２が、個人情報を無線回線経由で記憶装置７０から受信する。ここで、個人情報は、識別情報である。
【０１５８】
読出装置１４０の送受信部１４３が、識別情報を記憶部４１から受け取り、識別情報をネットワーク１９０経由で管理センター１８０へ送信する。管理センター１８０の送受信部１８３が、識別情報をネットワーク１９０経由で読出装置１４０から受信する。特定部１８２が、識別情報を送受信部１８３から受け取る。特定部１８２が、個人属性情報データベース１８１を参照して、識別情報に基づいて、利用者Ｐ（図９参照）の個人属性情報を特定する。送受信部１８３が、利用者Ｐ（図９参照）の個人属性情報を特定部１８２から受け取りネットワーク１９０経由で読出装置１４０へ送信する。読出装置１４０の送受信部１４３が、利用者Ｐ（図９参照）の個人属性情報をネットワーク１９０経由で管理センター１８０から受信する。記憶部４１が、利用者Ｐ（図９参照）の個人属性情報を送受信部１４３から受け取り一時的に記憶する。これらの点で第１実施形態と異なる。
【０１５９】
また、睡眠状態向上システム１００が利用者Ｐ（図９参照）の睡眠状態を向上する処理の流れが、図１１に示すように、次の点で第１実施形態と異なる。図１１において、第１実施形態と同様の処理は同じ記号で示し説明を省略する。
【０１６０】
図１１に示すステップＳ４１では、識別情報と個人属性情報とが入力される。すなわち、図１０に示す書込装置１６０の入力部６２に、識別情報と個人属性情報とが入力される。ここで、識別情報は、利用者Ｐ（図９参照）を識別するための情報である。個人属性情報は、利用者Ｐ（図９参照）の年齢の情報である。
【０１６１】
図１１に示すステップＳ４２では、識別情報が書き込まれる。すなわち、図１０に示す書込装置１６０の送受信部６１により、識別情報が入力部６２から受け取られ無線回線経由で記憶装置７０へ送信される。送受信部７１により、識別情報が無線回線経由で書込装置１６０から受信される。記憶部７２により、識別情報が送受信部７１から受け取られ記憶される。すなわち、識別情報が記憶装置７０に書き込まれる。
【０１６２】
図１１に示すステップＳ４３では、識別情報と個人属性情報とが管理センターへ送信される。すなわち、図１０に示す書込装置１６０の送受信部１６３により、識別情報と個人属性情報とが入力部６２から受け取られネットワーク１９０経由で管理センター１８０へ送信される。管理センター１８０の送受信部１８３により、識別情報と個人属性情報とがネットワーク１９０経由で書込装置１６０から受信される。個人属性情報データベース１８１により、識別情報と個人属性情報とが特定部１８２経由で送受信部１８３から受け取られ、個人属性情報が利用者Ｐ（図９参照）毎に記憶される。すなわち、個人属性情報データベース１８１に、識別情報と個人属性情報とが対応づけられて記憶される。
【０１６３】
図１１に示すステップＳ４４では、個人情報が読み出される。すなわち、図１０に示す読出装置１４０の送受信部４２により、個人情報を読み出したい旨の信号が無線回線経由で記憶装置７０へ送信される。ここで、個人情報は、識別情報である。記憶装置７０の送受信部７１により、個人情報を読み出したい旨の信号が無線回線経由で読出装置１４０から受信され、個人情報（識別情報）が記憶部７２から受け取られ無線回線経由で読出装置１４０へ送信される。読出装置１４０の送受信部４２により、個人情報（識別情報）が無線回線経由で記憶装置７０から受信される。すなわち、個人情報（識別情報）が記憶装置７０から読み出される。記憶部４１により、個人情報（識別情報）が送受信部４２から受け取られ一時的に記憶される。
【０１６４】
図１１に示すステップＳ４５では、識別情報が管理センターへ送信される。すなわち、図１０に示す読出装置１４０の送受信部１４３により、識別情報が記憶部４１から受け取られ、識別情報がネットワーク１９０経由で管理センター１８０へ送信される。管理センター１８０の送受信部１８３により、識別情報がネットワーク１９０経由で読出装置１４０から受信される。
【０１６５】
図１１に示すステップＳ４６では、個人属性情報が特定される。すなわち、図１０に示す管理センター１８０の特定部１８２により、識別情報が送受信部１８３から受け取られる。特定部１８２により、個人属性情報データベース１８１が参照されて、識別情報に基づいて、利用者Ｐ（図９参照）の個人属性情報が特定される。
【０１６６】
図１１に示すステップＳ４７では、個人属性情報が読出装置へ送信される。すなわち、図１０に示す管理センター１８０の送受信部１８３により、利用者Ｐ（図９参照）の個人属性情報が特定部１８２から受け取られネットワーク１９０経由で読出装置１４０へ送信される。読出装置１４０の送受信部１４３により、利用者Ｐ（図９参照）の個人属性情報がネットワーク１９０経由で管理センター１８０から受信される。記憶部４１により、利用者Ｐ（図９参照）の個人属性情報が送受信部１４３から受け取られ一時的に記憶される。制御装置３０の制御部３２により、個人属性情報が記憶部４１から受け取られる。
【０１６７】
したがって、個人属性情報を管理センター１８０側で記憶しているので、記憶装置７０における記憶容量を節約することが可能である。また、個人属性情報を管理センター１８０側で記憶しているので、個人属性情報を利用者Ｐ（図９参照）の側で管理する負担を低減することが可能である。これらの点で第１実施形態と異なる。
【０１６８】
個人情報に基づいて利用者Ｐ（図９参照）の個人属性情報を特定するので、利用者Ｐ（図９参照）の外出時においても利用者Ｐ（図９参照）の個人属性情報を特定することが可能である点は、第１実施形態と同様である。また、個人属性情報に基づいて利用者Ｐ（図９参照）の睡眠時の環境を制御するので、利用者Ｐ（図９参照）の個人差に応じて睡眠時の環境を制御することが可能である点も、第１実施形態と同様である。したがって、このような睡眠状態向上システム１００によっても、利用者Ｐ（図９参照）の外出時においても利用者の睡眠状態を向上することが可能である。
【０１６９】
＜第２実施形態の変形例＞
（Ａ）図１０に示すベッド２０は、マイクロ波ドップラーセンサ１０を備えていなくてもよい。このとき、制御装置３０の制御部３２は、読出装置１４０が個人属性情報をネットワーク１９０経由で受信したことに基づいて、利用者Ｐ（図９参照）が入眠したと推定してもよい。すなわち、制御装置３０の制御部３２が、個人属性情報を読出装置４０の記憶部４１から受け取った際に、利用者Ｐ（図９参照）が入眠したと推定してもよい。
【０１７０】
したがって、読出装置４０が個人属性情報をネットワーク１９０経由で受信したことに基づいて利用者Ｐ（図９参照）が入眠したと推定するので、外出先で入眠を検知することができない場合でも、利用者Ｐ（図９参照）の睡眠時の環境を制御することができる。
【０１７１】
（Ｂ）図１２に示すように、第１実施形態の変形例（Ｆ）と同様に、睡眠状態向上システム１００ａは、ベッド２０ａと制御装置３０ａとをさらに備えてもよい。
【０１７２】
（Ｃ）図１０に示す制御装置３０は、特定部３１を備えていなくてもよい。
【産業上の利用可能性】
【０１７３】
本発明にかかる睡眠状態向上システムは、利用者の外出時においても利用者の睡眠状態を向上することができるという効果を有し、睡眠状態向上システム等として有用である。
【図面の簡単な説明】
【０１７４】
【図１】本発明の第１実施形態による睡眠状態向上システムの概念図。
【図２】本発明の第１実施形態による睡眠状態向上システムの構成要素の構成図。
【図３】睡眠状態向上システムが利用者の睡眠状態を向上する処理の流れを示すフローチャート。
【図４】睡眠状態向上処理の流れを示すフローチャート。
【図５】睡眠状態向上処理の流れを示すフローチャート。
【図６】本発明の第１実施形態による睡眠状態向上システムの概念図（変形例）。
【図７】本発明の第１実施形態による睡眠状態向上システムの構成要素の構成図（変形例）。
【図８】睡眠状態向上システムが利用者の睡眠状態を向上する処理の流れを示すフローチャート（変形例）。
【図９】本発明の第２実施形態による睡眠状態向上システムの概念図。
【図１０】本発明の第２実施形態による睡眠状態向上システムの構成要素の構成図。
【図１１】睡眠状態向上システムが利用者の睡眠状態を向上する処理の流れを示すフローチャート。
【図１２】本発明の第２実施形態による睡眠状態向上システムの概念図（変形例）。
【符号の説明】
【０１７５】
１，１ａ，１００，１００ａ  睡眠状態向上システム
１０，１０ａ  マイクロ波ドップラーセンサ
２０，２０ａ  ベッド
３０，３０ａ  制御装置
４０，１４０  読出装置
５０  空気調和機
６０，１６０  書込装置
７０  記憶装置
１８０  管理センター
１９０  ネットワーク
Ｐ  利用者
【図１】
0004466654.tif 000002
【図２】
0004466654.tif 000003
【図３】
0004466654.tif 000004
【図４】
0004466654.tif 000005
【図５】
0004466654.tif 000006
【図６】
0004466654.tif 000007
【図７】
0004466654.tif 000008
【図８】
0004466654.tif 000009
【図９】
0004466654.tif 000010
【図１０】
0004466654.tif 000011
【図１１】
0004466654.tif 000012
【図１２】
0004466654.tif 000013